(57)【特許請求の範囲】
【請求項１】
複数の放送チャンネルの中から指定された所定の放送チャンネルを受信するチューナと、
所定の記録媒体に記録されている画像を再生し出力する記録媒体再生装置と、
前記チューナまたは記録媒体再生装置の出力を表示するモニタと
により構成されるＡＶシステムを制御するＡＶシステム制御方法において、
所定のモードが指令されたとき、前記チューナに所定の放送チャンネルを受信させ、１つの放送チャンネルにつき、少なくとも１枚の画面の画像データを取得するとともに、前記記録媒体に対応する画像データを取得して、前記モニタに表示させ、
前記放送チャンネルに対応する画像データには、前記放送チャンネルの放送局名を重畳表示させ、前記記録媒体に対応する画像データには、前記記録媒体の名称を重畳表示させ、
前記画像データが表示された状態において、カーソルが位置する画像データを選択する操作が行われたとき、前記カーソルが位置する放送チャンネルを受信させるか、または、前記カーソルが位置する記録媒体に記録されている画像を再生させ、
前記カーソルが位置する記録媒体に記録されている再生画像が存在しない場合、エラーメッセージを表示させる
ことを特徴とするＡＶシステム制御方法。
【請求項２】
前記所定のモードが指令された場合、前記記録媒体再生装置の前記記録媒体の再生信号から画像データを取得することができるとき、前記記録媒体の再生信号から、少なくとも１枚の画面の画像データを取得し、前記記録媒体再生装置より再生画像を実質的に得ることができないとき、前記記録媒体に対応するシンボル図形の画像データを取得する
ことを特徴とする請求項１に記載のＡＶシステム制御方法。
【請求項３】
前記チューナにより過去に受信した前記放送チャンネルの履歴をさらに記憶し、
放送チャンネルの画像データを取得するとき、記憶されている前記放送チャンネルの画像データを取得する
ことを特徴とする請求項１に記載のＡＶシステム制御方法。
【請求項４】
前記放送チャンネルの履歴は、各曜日と時間帯に対応して記憶される
ことを特徴とする請求項３に記載のＡＶシステム制御方法。
【請求項５】
前記チューナにより過去に受信した前記放送チャンネルの履歴と前記記録媒体の再生履歴をさらに記憶し、
放送チャンネルの画像データを取得するとき、記憶されている前記放送チャンネルの画像データを取得し、
前記記録媒体再生装置の前記記録媒体の再生信号から画像データを取得するとき、記憶されている前記記録媒体再生装置の前記記録媒体の再生信号の出力から画像データを取得する
ことを特徴とする請求項１に記載のＡＶシステム制御方法。
【請求項６】
前記放送チャンネルの履歴は、各曜日と時間帯に対応して記憶される
ことを特徴とする請求項５に記載のＡＶシステム制御方法。
【請求項７】
複数の放送チャンネルの中から指定された所定の放送チャンネルを受信するチューナと、
所定の記録媒体に記録されている画像を再生し出力する記録媒体再生装置と、
前記チューナまたは記録媒体再生装置の出力を表示するモニタと
を含むＡＶシステムに用いられるＡＶ機器において、
所定のモードが指令されたとき、前記チューナに所定の放送チャンネルを受信させ、１つの放送チャンネルにつき、少なくとも１枚の画面の画像データを取得するとともに、前記記録媒体に対応する画像データを取得する取得手段と、
前記取得手段により取得した画像データを前記モニタに表示させる表示制御手段と
を備え、
前記表示制御手段は、前記放送チャンネルに対応する画像データには、前記放送チャンネルの放送局名を重畳表示させ、前記記録媒体に対応する画像データには、前記記録媒体の名称を重畳表示させ、
前記画像データが表示された状態において、カーソルが位置する画像データを選択する操作が行われたとき、前記カーソルが位置する放送チャンネルを受信させるか、または、前記カーソルが位置する記録媒体に記録されている画像を再生させ、
前記カーソルが位置する記録媒体に記録されている再生画像が存在しない場合、エラーメッセージを表示させる
ことを特徴とするＡＶ機器。
【発明の詳細な説明】
【０００１】
【産業上の利用分野】
本発明は、例えば放送衛星を介して放送される多数の放送チャンネルを受信するチューナを含む各種のＡＶ機器により構成されるＡＶシステムを制御する場合に用いて好適なＡＶシステム制御方法およびＡＶ機器に関する。
【０００２】
【従来の技術】
近年、ＭＰＥＧ（Ｍｏｖｉｎｇ  Ｐｉｃｔｕｒｅ  Ｅｘｐｅｒｔｓ  Ｇｒｏｕｐ）に代表される高能率符号化技術の進展に伴い、ケーブルテレビジョン（ＣＡＴＶ：Ｃａｂｌｅ  Ｔｅｌｅｖｉｓｉｏｎ）やデジタル衛星放送（ＤＳＳ：Ｄｉｇｉｔａｌ  Ｓａｔｅｌｌｉｔｅ  Ｓｙｓｔｅｍ（Ｈｕｇｈｅｓ  Ｃｏｍｍｕｎｉｃａｔｉｏｎｓ社の商標））等において、放送の多チャンネル化が進行している。この多チャンネル化に伴って、例えばチャンネル数は１５０個にもなり、１５０チャンネルの中から所定の番組を選択する操作も煩雑となる。
【０００３】
そこで、例えば図２９に示すように、テレビジョン受像機の表示画面を複数の子画面に分割し、各子画面に各チャンネルで放送されている番組の映像を表示させるようにすることが提案されている。１つの画面の中に多数のチャンネルの番組が紹介されるため、視聴者は比較的容易に所望のチャンネルのその時点における番組の内容を把握することができる。
【０００４】
使用者は、このようにして、子画面に分割して表示された各チャンネルの画像を見て、選択を希望するチャンネルの番号を入力する。これにより、入力した番号のチャンネルが受信される。
【０００５】
【発明が解決しようとする課題】
しかしながら、このような従来の装置においては、選択するチャンネルの番号を入力しなければならないため、操作性が悪い課題があった。
【０００６】
また、テレビジョン受像機に内蔵されるチューナにより受信されるチャンネルの中から、所定のものを選択することしかできず、テレビジョン受像機以外に、ビデオ画像を再生、出力することが可能なＡＶ機器が、ＡＶシステム中に接続されていたとしても、そのＡＶ機器の操作はテレビジョン受像機とは独立に行わなければならず、ＡＶシステム全体としての操作性が悪い課題があった。
【０００７】
本発明はこのような状況に鑑みてなされたものであり、ＡＶシステム全体としての操作性を改善し、記録媒体に記録されている画像の再生も、容易にできるようにするものである。
【０００８】
【課題を解決するための手段】
本発明のＡＶシステム制御方法は、複数の放送チャンネルの中から指定された所定の放送チャンネルを受信するチューナ（例えば図３のチューナ２１Ａ，２１Ｂ）と、所定の記録媒体に記録されている画像を再生し出力する記録媒体再生装置（例えば図１のＶＣＲ６）と、チューナまたは記録媒体再生装置の出力を表示するモニタ（例えば図１のモニタ装置４）とにより構成されるＡＶシステムを制御するＡＶシステム制御方法において、所定のモード（例えばフェイバリットガイドモード）が指令されたとき、チューナに所定の放送チャンネルを受信させ、１つの放送チャンネルにつき、少なくとも１枚の画面の画像データを取得するとともに、記録媒体に対応する画像データを取得して、モニタに表示させ、放送チャンネルに対応する画像データには、放送チャンネルの放送局名を重畳表示させ、記録媒体に対応する画像データには、記録媒体の名称を重畳表示させることを特徴とする。
【０００９】
所定のモードが指令された場合、記録媒体再生装置の記録媒体の再生信号から画像データを取得することができるとき、記録媒体の再生信号から、少なくとも１枚の画面の画像データを取得し（例えば図１５のプログラム上のステップＳ２８）、記録媒体再生装置より再生画像を実質的に得ることができないとき、記録媒体に対応するシンボル図形の画像データを取得する（例えば図１５のプログラム上のステップＳ２９）ようにすることができる。
【００１０】
チューナにより過去に受信した放送チャンネルの履歴をさらに記憶し、放送チャンネルの画像データを取得するとき、記憶されている放送チャンネルの画像データを取得させるようにすることができる。
放送チャンネルの履歴は、各曜日と時間帯に対応して記憶させるようにすることができる。
【００１１】
あるいは、チューナにより過去に受信した放送チャンネルの履歴と記録媒体の再生履歴をさらに記憶し、放送チャンネルの画像データを取得するとき、記憶されている放送チャンネルの画像データを取得させ、記録媒体再生装置の記録媒体の再生信号から画像データを取得するとき、記憶されている記録媒体再生装置の記録媒体の再生信号の出力から画像データを取得させるようにすることができる。
放送チャンネルの履歴は、各曜日と時間帯に対応して記憶させるようにすることができる。
【００１２】
画像データが表示された状態において、カーソルが位置する画像データを選択する操作が行われたとき、カーソルが位置する放送チャンネルを受信させるか、または、カーソルが位置する記録媒体に記録されている画像を再生させるようにすることができる。
カーソルが位置する記録媒体に記録されている再生画像が存在しない場合、エラーメッセージを表示させるようにすることができる。
【００１３】
本発明のＡＶ機器は、複数の放送チャンネルの中から指定された所定の放送チャンネルを受信するチューナ（例えば図３のチューナ２１Ａ，２１Ｂ）と、所定の記録媒体に記録されている画像を再生し出力する記録媒体再生装置（例えば図１のＶＣＲ６）と、チューナまたは記録媒体再生装置の出力を表示するモニタ（例えば図１のモニタ装置４）とを含むＡＶシステムに用いられるＡＶ機器において、所定のモード（例えばフェイバリットガイドモード）が指令されたとき、チューナに所定の放送チャンネルを受信させ、１つの放送チャンネルにつき、少なくとも１枚の画面の画像データを取得するとともに、記録媒体に対応する画像データを取得する取得手段（例えば図１５のプログラム上のステップＳ２４，Ｓ２８，Ｓ２９）と、取得手段により取得した画像データをモニタに表示させる表示制御手段（例えば図１６のプログラム上のステップＳ３０）とを備え、表示制御手段は、放送チャンネルに対応する画像データには、放送チャンネルの放送局名を重畳表示させ、記録媒体に対応する画像データには、記録媒体の名称を重畳表示させ、画像データが表示された状態において、カーソルが位置する画像データを選択する操作が行われたとき、カーソルが位置する放送チャンネルを受信させるか、または、カーソルが位置する記録媒体に記録されている画像を再生させ、カーソルが位置する記録媒体に記録されている再生画像が存在しない場合、エラーメッセージを表示させることを特徴とする。
【００１４】
【作用】
上記構成のＡＶシステム制御方法およびＡＶ機器においては、チューナにより受信された１つの放送チャンネルにつき、少なくとも１枚の画面の画像データが取得されるとともに、記録媒体に対応する画像データが取得されて、モニタに表示される。またこのとき、放送チャンネルに対応する画像データには、放送チャンネルの放送局名が重畳表示され、記録媒体に対応する画像データには、記録媒体の名称が重畳表示される。また、画像データが表示された状態において、カーソルが位置する画像データを選択する操作が行われたとき、カーソルが位置する放送チャンネルを受信させるか、または、カーソルが位置する記録媒体に記録されている画像が再生され、カーソルが位置する記録媒体に記録されている再生画像が存在しない場合、エラーメッセージが表示される。従って、放送局名や記録媒体の名称が重畳表示された画像を選択するだけで、所定の放送チャンネルを受信したり、所定の記録媒体を再生することが可能となり、ＡＶシステム全体における操作性を改善することができる。
【００１５】
【実施例】
図１は、本発明のＡＶ（Ａｕｄｉｏ  Ｖｉｄｅｏ）システム制御方法を適用したＡＶシステムの構成例を示している。この実施例の場合、ＡＶシステム１は、パラボラアンテナ３で図示せぬ放送衛星を介して受信した信号を復調するＩＲＤ（Ｉｎｔｅｇｒａｔｅｄ  Ｒｅｃｅｉｖｅｒ／Ｄｅｃｏｄｅｒ）２の他、ＶＨＳ方式のＶＣＲ（Ｖｉｄｅｏ  Ｃａｓｓｅｔｔｅ  Ｒｅｃｏｒｄｅｒ）６、８ｍｍ方式のＶＣＲ７、マルチディスクプレーヤ（ＭＤＰ：Ｍｕｔｉ−Ｄｉｓｃ  Ｐｌａｙｅｒ）８、ミニディスク（ＭＤ：Ｍｉｎｉ  Ｄｉｓｃ）装置９、モニタ装置４により構成されている。
【００１６】
ＶＣＲ６，ＶＣＲ７，ＭＤＰ８およびＭＤ装置９は、それぞれＡＶライン１１によりモニタ装置４と接続されている。また、ＩＲＤ２は、ＶＣＲ６にＡＶライン１１により接続されている。さらに、これらの各装置は、コントロールライン１２により、順次シリーズに接続されている。
【００１７】
ＩＲＤ２に対しては、リモートコマンダ５により赤外線（ＩＲ：Ｉｎｆｒａｒｅｄ）信号により指令を入力することができるようになされている。即ち、リモートコマンダ５のボタンスイッチ５０の所定のものを操作すると、それに対応する赤外線信号がＩＲ発信部５１から出射され、ＩＲＤ２のＩＲ受信部３９に入射されるようになされている。
【００１８】
尚、このＩＲＤ２には、各種の操作ボタンスイッチを有するフロントパネル４０が設けられており、リモートコマンダ５を操作することにより発せられる指令と同一の指令を直接入力することができるようになされている。
【００１９】
図２は、図１のＡＶシステム１の電気的接続状態を表している。パラボラアンテナ３は、ＬＮＢ（Ｌｏｗ  Ｎｏｉｓｅ  Ｂｌｏｃｋ  ｄｏｗｎｃｏｎｖｅｒｔｅｒ）３ａを有し、放送衛星からの信号を所定の周波数の信号に変換し、ＩＲＤ２に供給している。ＩＲＤ２は、その出力を、３本の線により構成されるＡＶライン１１を介してＶＣＲ６に供給している。ＶＣＲ６の出力は、３本の線により構成されるＡＶライン１１によりモニタ装置４に供給されている。また、ＶＣＲ７、ＭＤＰ８およびＭＤ装置９は、モニタ装置４に対して、６本、３本または４本のＡＶライン１１によりそれぞれ接続されている。
【００２０】
さらに、ＩＲＤ２、ＶＣＲ６、ＶＣＲ７、ＭＤＰ８、ＭＤ装置９、およびモニタ装置４は、ＡＶ機器制御信号送受信部２Ａ，６Ａ，７Ａ，８Ａ，９Ａ，４Ａを、それぞれ有している。これらは、ワイヤードＳＩＲＣＳ（Ｗｉｒｅｄ  Ｓｏｎｙ  Ｉｎｆｒａｒｅｄ  Ｒｅｍｏｔｅ  Ｃｏｎｔｒｏｌ  Ｓｙｓｔｅｍ）よりなるコントロールライン１２により、シリーズに順次接続されている。
【００２１】
図３は、ＩＲＤ２の内部の構成例を示している。パラボラアンテナ３のＬＮＢ３ａより出力されたＲＦ信号は、フロントエンド２０Ａのチューナ２１Ａに供給され、復調される。チューナ２１Ａの出力は、ＱＰＳＫ復調回路２２Ａに供給され、ＱＰＳＫ復調される。ＱＰＳＫ復調回路２２Ａの出力は、エラー訂正回路２３Ａに供給され、誤りが検出、訂正され、必要に応じて補正される。
【００２２】
また、フロントエンド２０Ａと同様に、チューナ２１Ｂ、ＱＰＳＫ復調回路２２Ｂ、エラー訂正回路２３Ｂにより構成されているフロントエンド２０Ｂにおいても、フロントエンド２０Ａと独立に、同様の処理が行われるようになっている。
【００２３】
ＣＰＵ、ＲＯＭおよびＲＡＭ等から成るＩＣカードにより構成されているＣＡＭ（Ｃｏｎｄｉｔｉｏｎａｌ  Ａｃｃｅｓｓ  Ｍｏｄｕｌｅ）３３には、暗号を解読するのに必要なキーが、解読プログラムとともに格納されている。放送衛星を介して送信される信号は暗号化されているため、この暗号を解読するにはキーと解読処理が必要となる。そこで、カードリーダインタフェース３２を介してＣＡＭ３３からこのキーが読み出され、デマルチプレクサ２４に供給される。デマルチプレクサ２４は、このキーを利用して、暗号化された信号を解読する。
【００２４】
尚、このＣＡＭ３３には、暗号解読に必要なキーと解読プログラムの他、課金情報なども格納されている。
【００２５】
デマルチプレクサ２４は、フロントエンド２０（２０Ａ，２０Ｂ）のエラー訂正回路２３（２３Ａ，２３Ｂ）の出力する信号の入力を受け、解読したビデオ信号をデコード部４４に供給し、解読したオーディオ信号をＭＰＥＧオーディオデコーダ２６に供給する。
【００２６】
デコード部４４も、フロントエンド２０と同様に、独立に動作が可能なデコード部４４Ａと４４Ｂにより構成され、それぞれ、ＭＰＥＧビデオデコーダ２５ＡとＤＲＡＭ２５ａＡ、またはＭＰＥＧビデオデコーダ２５ＢとＤＲＡＭ２５ａＢを有している。
【００２７】
ＭＰＥＧビデオデコーダ２５Ａ，２５Ｂは、入力されたデジタルビデオ信号をＤＲＡＭ２５ａＡ，２５ａＢに適宜記憶させ、ＭＰＥＧ方式により圧縮されているビデオ信号のデコード処理を実行する。デコードされたビデオ信号は、ピクチャインピクチャ（Ｐ  ｉｎ  Ｐ）プロセッサ４５を介してＮＴＳＣエンコーダ２７に供給され、ＮＴＳＣ方式の輝度信号（Ｙ）、クロマ信号（Ｃ）、およびコンポジット信号（Ｖ）に変換される。輝度信号とクロマ信号は、バッファアンプ２８Ｙ，２８Ｃを介して、それぞれＳビデオ信号として出力される。また、コンポジット信号は、バッファアンプ２８Ｖを介して出力される。
【００２８】
ＭＰＥＧオーディオデコーダ２６は、デマルチプレクサ２４より供給されたデジタルオーディオ信号をＤＲＡＭ２６ａに適宜記憶させ、ＭＰＥＧ方式により圧縮されているオーディオ信号のデコード処理を実行する。デコードされたオーディオ信号は、Ｄ／Ａ変換器３０においてＤ／Ａ変換され、左チャンネルのオーディオ信号は、バッファアンプ３１Ｌを介して出力され、右チャンネルのオーディオ信号は、バッファアンプ３１Ｒを介して出力される。
【００２９】
ＲＦモジュレータ４１は、ＮＴＳＣエンコーダ２７が出力するコンポジット信号と、Ｄ／Ａ変換器３０が出力するオーディオ信号とをＲＦ信号に変換して出力する。また、このＲＦモジュレータ４１は、他のＡＶ機器から入力されるＮＴＳＣ方式のＲＦ信号をスルーして、他のＡＶ機器にそのまま出力する。
【００３０】
この実施例の場合、これらのビデオ信号およびオーディオ信号が、ＡＶライン１１を介してＶＣＲ６に供給されることになる。
【００３１】
ＣＰＵ（Ｃｅｎｔｒａｌ  Ｐｒｏｃｅｓｓｏｒ  Ｕｎｉｔ）２９は、ＲＯＭ３７に記憶されているプログラムに従って各種の処理を実行する。例えば、チューナ２１Ａ，２１Ｂ、ＱＰＳＫ復調回路２２Ａ，２２Ｂ、エラー訂正回路２３Ａ，２３Ｂ、ピクチャインピクチャプロセッサ４５などを制御する。また、ＡＶ機器制御信号送受信部２Ａを制御し、コントロールライン１２を介して、他のＡＶ機器に所定のコントロール信号を出力し、また、他のＡＶ機器からのコントロール信号を受信する。
【００３２】
このＣＰＵ２９に対しては、フロントパネル４０の操作ボタンスイッチ（図示せず）を操作して、所定の指令を直接入力することができる。また、リモートコマンダ５を操作すると、ＩＲ発信部５１より赤外線信号が出力され、この赤外線信号がＩＲ受信部３９により受光され、受光結果がＣＰＵ２９に供給される。従って、リモートコマンダ５を操作することによっても、ＣＰＵ２９に所定の指令を入力することができる。
【００３３】
また、ＣＰＵ２９は、デマルチプレクサ２４が出力するビデオ信号とオーディオ信号以外の信号、例えばＥＰＧ（Ｅｌｅｃｔｒｉｃａｌ  Ｐｒｏｇｒａｍ  Ｇｕｉｄｅ）情報（オーディオ信号やビデオ信号とともに放送衛星を介して伝送されてくる）を取り込み、所定のフォーマットで、ＳＲＡＭ（Ｓｔａｔｉｃ Ｒａｄｏｍ  Ａｃｃｅｓｓ  Ｍｅｍｏｒｙ）３６に供給し、記憶させる。ＥＰＧ情報は、現在時刻から数十時間後までの放送に関する情報を含んでいる。このＥＰＧ情報は、頻繁に伝送されてくるため、ＳＲＡＭ３６には常に最新のＥＰＧを保持することができる。
【００３４】
ＥＥＰＲＯＭ（Ｅｌｅｃｔｒｉｃａｌｌｙ  Ｅｒａｓａｂｌｅ  Ｐｒｏｇｒａｍａｂｌｅ  Ｒｅａｄ  Ｏｎｌｙ  Ｍｅｍｏｒｙ）３８には、例えばフェイバリットガイドリスト（図１３を参照して後述する）など、電源オフ後も保持しておきたいデータなどが適宜記憶される。また、ＣＰＵ２９は、カレンダタイマ３５が出力する時刻情報と、デマルチプレクサ２４が受信信号から分離、出力するタイムスタンプとを比較し、その比較結果に対応して、正しいタイミングでデコード処理ができるように、ＭＰＥＧビデオデコーダ２５Ａ，２５ＢやＭＰＥＧオーディオデコーダ２６を制御する。
【００３５】
さらに、ＣＰＵ２９は、所定のＯＳＤ（Ｏｎ−Ｓｃｒｅｅｎ  Ｄｉｓｐｌａｙ）データを発生したいとき、ＭＰＥＧビデオデコーダ２５Ａ，２５Ｂを制御する。ＭＰＥＧビデオデコーダ２５Ａ，２５Ｂは、この制御に対応して、所定のＯＳＤデータを生成して、ＤＲＡＭ２５ａＡ，２５ａＢに書き込み、さらに読み出して出力する。これにより、所定の文字、図形などを適宜モニタ装置４に出力し、表示させることができる。
【００３６】
モデム３４は、ＣＰＵ２９の制御の下、電話回線を介して他の装置との間でデータを授受する。
【００３７】
図４は、リモートコマンダ５のボタンスイッチ５０のより詳細な構成例を示している。同図に示すように、リモートコマンダ５は、その上部にＩＲ発信部５１を備えるとともに、その下方に操作子５２を備えている。この操作子５２は、上下左右方向の他、斜めの上下左右方向の合計８つの方向のうち、いずれか１つの方向に操作することができるようになされている。また、この操作子５２は、紙面と垂直な方向に押圧し、エンター（ＥＮＴＥＲ）ボタンスイッチとして機能させることができるようになされている。即ち、この操作子５２は、１つの指で方向を選択し、そのまま指を離さずに、１つの指でさらにエンター入力を行うことができるようになされている。
【００３８】
この操作子５２の右下方には、メニューボタンスイッチ５３が配置されている。このメニューボタンスイッチ５３は、モニタ装置４にメニュー画面を表示させるとき操作される。メニューボタンスイッチ５３の左側には、処理を元に戻すとき操作されるエスケープ（ＥＳＣ）ボタンスイッチ５４が設けられている。
【００３９】
以下、説明を省略するが、ボタンスイッチ５０として、その他、各種の操作ボタンスイッチが設けられている。
【００４０】
図５乃至図９は、操作子５２の操作を検出するための構成例を表している。この図５に示す小型スティックコントローラが、リモートコマンダ５の内部であって、操作子５２の下方に配置されている。即ち、スティック６１が、柔軟性を有する樹脂などにより形成されている操作子５２と一体的に結合されている。従って、操作子５２を操作すると、その操作方向に対応して、スティック６１が、図５において、矢印ａで示す８つの方向のうちのいずれか１つの方向に移動するか、または、矢印ｂで示すように、垂直方向に移動するようになされている。
【００４１】
スティック６１の下方には、ピン１０５が垂直に植設されており、このピン１０５の端部は、外体１０１のガイド板１０３に形成されている孔１０４に挿通され、ガイドされるようになされている。この外体１０１には、Ｙ軸方向を指向するガイド板１０３に一体的に結合されて、Ｘ軸方向を指向する側板１０２が形成されている。そして、この側板１０２には、Ｘ軸方向に伸長するシャフト６２が植設されている。
【００４２】
一方、外体１０１の内側に、内体１１１が配置されるように、内体１１１の底板１１４に形成された孔１１４Ａに、スティック６１が挿通されている。この孔１１４Ａは、図９に示すように、Ｙ軸方向に長い孔となっている。そして、この内体１１１の底板１１４には、Ｘ軸方向に対向するように、側板１１２が形成され、Ｙ軸方向には、相互に対向するように、側板１１２に比べて高さが低い結合板１１３が形成されている。そして、この結合板１１３には、Ｙ軸方向に伸長するシャフト６３が植設されている。外体１０１のガイド板１０３に形成されている孔１０４は、このシャフト６３を中心とする円弧上に形成されている。
【００４３】
図６乃至図９に示すような小型スティックコントローラが、図５に示すように、ボックス１１６の内側に配置されており、シャフト６２と６３は、それぞれボックス１１６に形成した孔１１８と１１９から外側に延びるようになされている。孔１１９は、シャフト６３の径とほぼ等しいか、それより若干大きい径とされているのに対し、孔１１８は、Ｚ軸方向に長い孔となっている。そして、このボックス１１６の外側には、シャフト６２の一方の端部に結合するように、可変抵抗器６４が配置され、他方の端部の下方には、押しボタン型のスイッチ６６が配置されている。また、ボックス１１６のＹ軸方向の外側には、可変抵抗器６５が配置され、シャフト６３と結合されている。
【００４４】
スティック６１をＸ軸を中心として回動すると、ピン１０５を介してガイド板１０３と結合されている外体１０１が、シャフト６２（Ｘ軸）を中心として回動する。このとき、内体１１１の底板１１４には、Ｙ軸方向に長い孔１１４Ａが形成されているため、内体１１１は、静止したままの状態となっている。
【００４５】
これに対して、スティック６１をＹ軸を中心として回動すると、底板１１４に形成されている孔１１４Ａは、Ｘ軸方向にはスティック６１とほぼ同一の径に形成されているため、スティック６１の回動とともに、内体１１１がシャフト６３（Ｙ軸）を中心として回動する。このとき、ピン１０５が、シャフト６３を中心とする円弧上に形成されている孔１０４によりガイドされる。また、このとき、内体１１１の側板１１２は、外体１０１の側板１０２との間に充分な距離を有しているため、側板１０２に当接することはない。従って、外体１０１は静止したままの状態となっている。
【００４６】
スティック６１をＸ軸とＹ軸の間の方向に操作すると、内体１１１がＹ軸を中心として回動するとともに、外体１０１がＸ軸を中心として回動する。
【００４７】
スティック６１の下端には、原点復帰バネ１０６が結合されているため、スティック６１への回動操作を中止すると、この原点復帰バネ１０６の付勢力に従って、スティック６１は原点（垂直位置）に復帰する。
【００４８】
スティック６１をＸ軸を中心として回動すると、シャフト６２がＸ軸を中心として回動するため、可変抵抗器６４の抵抗値が変化する。従って、この可変抵抗器６４の抵抗値から、スティック６１のＸ軸を中心とする回動量と回動方向を検出することができる。
【００４９】
また、スティック６１をＹ軸を中心として回動すると、シャフト６３がＹ軸を中心として回動するため、可変抵抗器６５の抵抗値が変化する。従って、この可変抵抗器６５の抵抗値から、スティック６１のＹ軸を中心とする回動量と回動方向を検出することができる。
【００５０】
このようにして、図５において、矢印ａで示す８つの方向のうちのいずれか１つの方向への操作（水平方向への操作）が検出される。
【００５１】
スティック６１を、図５において矢印ｂに沿って、下方向に垂直に押圧すると、内体１１１は、底板１１４の孔１１４Ａにスティック６１が挿通されているため、特に変化はしないが、外体１０１は、スティック６１に植設したピン１０５が孔１０４を介してガイド板１０３に挿通されているため、スティック６１と一体的に下方向に押圧される。このときの外体１０１の下方向への移動は、シャフト６２が挿通されているボックス１１６の孔１１８が垂直方向に長い孔とされているため、この孔１１８によりガイドされる。シャフト６２が所定の位置まで下降したとき、シャフト６２の一部がスイッチ６６を押圧する。これにより、スイッチ６６がオンまたはオフし、スティック６１の下方向への押圧操作が検知される。
【００５２】
そして、スティック６１に対する下方への押圧操作を中止すると、スイッチ６６に内蔵された図示せぬ復帰バネの付勢力に従って、スティック６１は上方の原点位置に復帰する。
【００５３】
図１０は、リモートコマンダ５の内部の回路の構成例を表している。マイクロコンピュータ（マイコン）７１は、プログラムを記憶するＲＯＭ７３と、ＲＯＭ７３に記憶されているプログラムに従って各種の処理を実行するＣＰＵ７２と、ＣＰＵ７２が各種の処理を実行する上において必要なデータなどを適宜記憶するＲＡＭ７４とを有している。このマイコン７１には、ボタンスイッチマトリックス８２が接続されており、図４に示したボタンスイッチ５０のいずれのボタンスイッチが操作されたのかを検出することができるようになされている。
【００５４】
Ａ／Ｄ変換器７７は、可変抵抗器６４の抵抗値（スティック６１のＸ軸を中心とする回動に対応する）をＡ／Ｄ変換し、マイコン７１に出力するようになされている。また、Ａ／Ｄ変換器７８は、可変抵抗器６５の抵抗値（スティック６１のＹ軸を中心とする回動に対応する）をＡ／Ｄ変換し、マイコン７１に出力するようになされている。さらに、スイッチ６６のオンまたはオフの信号（スティック６１の垂直方向への操作に対応する）が、マイコン７１に供給されるようになされている。
【００５５】
また、マイコン７１は、ＬＥＤドライバ７５を介して、ＩＲ発信部５１のＬＥＤ７６を駆動し、赤外線信号を発生させるようになされている。
【００５６】
図１１は、ＶＣＲ６の内部の構成例を示している。ビデオ／オーディオ信号処理回路９６は、スイッチ９４の接点ｂを介して入力されるチューナ９３の出力を処理し、記録再生ブロック９７に出力し、ヘッドアンプ９８を介して、内蔵する磁気テープに記録させるようになされている。また、入力端子（ＬＩＮＥ  ＩＮ）９１には、ＡＶライン１１を介して所定のビデオ信号とオーディオ信号が入力され、スイッチ９４の接点ａを介して、ビデオ／オーディオ信号処理回路９６に入力されるようになされている。従って、マイコン９９により制御され、スイッチ９４が接点ａ側に切り換えられている場合においては、ＡＶライン１１を介して入力される信号が、記録再生ブロック９７に供給され、内蔵する磁気テープに記録されるようになされている。
【００５７】
また、マイコン９９が再生モードを設定した場合においては、記録再生ブロック９７が内蔵する磁気テープを再生し、その再生信号を、ヘッドアンプ９８を介してビデオ／オーディオ信号処理回路９６に出力する。ビデオ／オーディオ信号処理回路９６は、この入力された信号を、スイッチ９５の接点ａを介して出力端子（ＬＩＮＥ  ＯＵＴ）９２に出力する。この出力端子９２には、ＡＶライン１１が接続されているため、このＡＶライン１１を介して、ビデオ信号とオーディオ信号がモニタ装置４に供給される。
【００５８】
また、スイッチ９５がマイコン９９により制御され、接点ｂ側に切り換えられている場合においては、スイッチ９４が出力するビデオ信号およびオーディオ信号が、出力端子９２からＡＶライン１１に出力されることになる。
【００５９】
マイコン９９には、操作パネル１００に設けられている操作ボタンスイッチ（図示せず）を操作することにより、各種の指令を入力することができる。また、図示せぬ専用のリモートコマンダを操作すると、そのリモートコマンダから赤外線信号が出力される。この赤外線信号がＩＲ受信部１０１により受信され、スイッチ１０２の接点ａを介してマイコン９９に供給される。
【００６０】
また、ＡＶ機器制御信号送受信部６Ａは、ワイヤードＳＩＲＣＳ受信部３０３と、ワイヤードＳＩＲＣＳ送信部３０４とを有している。このワイヤードＳＩＲＣＳ受信部３０３とワイヤードＳＩＲＣＳ送信部３０４には、コントロールライン１２が接続される。ワイヤードＳＩＲＣＳ受信部３０３にコントロールライン１２を接続すると、この接続が、内蔵するスイッチ（図示せず）により検出され、その検出出力により、スイッチ１０２が接点ｂ側に自動的に切り換えられる。その結果、この場合、ＩＲ受信部１０１の出力は、マイコン９９に伝達されず、ワイヤードＳＩＲＣＳ受信部３０３の出力のみがマイコン９９に伝達されるようになる。また、このワイヤードＳＩＲＣＳ受信部３０３に入力された信号は、スイッチ１０２を介して、ワイヤードＳＩＲＣＳ送信部３０４に伝達され、さらにコントロールライン１２を介して他のＡＶ機器に伝送される。
【００６１】
尚、ワイヤードＳＩＲＣＳ受信部３０３に信号検出回路を設け、この検出回路が信号を検出したときのみ、スイッチ１０２を接点ｂ側に切り換えるようにし、この検出回路が信号を検出しないとき、スイッチ１０２を接点ａ側に切り換えるように制御することにより、コントロールライン１２を介して入力される制御信号だけでなく、ＩＲ受信部１０１が検出、出力する制御信号によっても、マイコン９９を制御することができるようにすることも可能である。
【００６２】
次に、図３に示したＩＲＤ２の実施例の動作について説明する。いま、ＩＲＤ２により所定の放送チャンネルを受信し、モニタ装置４に出力し、表示しているものとする。
【００６３】
このとき、親画面用のチューナ２１Ａが受信した信号が、ＱＰＳＫ復調回路２２ＡによりＱＰＳＫ復調され、エラー訂正回路２３Ａによりエラー訂正処理された後、デマルチプレクサ２４に供給される。デマルチプレクサ２４は、入力された信号からビデオ信号とオーディオ信号とを分離し、ビデオ信号を、親画面用のデコード部４４ＡのＭＰＥＧビデオデコーダ２５Ａに供給し、オーディオ信号を、ＭＰＥＧオーディオデコーダ２６に供給する。
【００６４】
ＭＰＥＧビデオデコーダ２５Ａは、ＭＰＥＧ方式により圧縮されているビデオ信号をデコードし、ピクチャインピクチャプロセッサ４５を介してＮＴＳＣエンコーダ２７に供給する。ＮＴＳＣエンコーダ２７は、入力された信号をＮＴＳＣ方式のビデオ信号に変換し、バッファアンプ２８Ｙ，２８Ｃ，２８Ｖを介して、モニタ装置４に出力し、表示させる。
【００６５】
一方、ＭＰＥＧオーディオデコーダ２６は、入力されたＭＰＥＧ方式により圧縮されているオーディオ信号をデコードし、Ｄ／Ａ変換器３０に出力する。Ｄ／Ａ変換器３０によりＤ／Ａ変換されたオーディオ信号は、バッファアンプ３１Ｌ，３１Ｒを介して、モニタ装置４に出力され、放音される。
【００６６】
このような視聴動作が行われているとき、ＣＰＵ２９は、図１２のフローチャートに示すようなフェイバリットガイドリスト作成処理を実行する。即ち、最初にステップＳ１において、チューナ２１Ａが所定の番組を受信しているか否かを判定し、受信していなければ、受信するまで待機し、所定の番組を受信したとき、ステップＳ２に進み、受信したチャンネルとその時刻のデータを取り込む。受信チャンネルのデータは、チューナ２１Ａの出力から取り込むことができ、時刻データはカレンダタイマ３５から取り込むことができる。
【００６７】
次にステップＳ３に進み、最新の過去４週間分のフェイバリットガイドリストを作成し、そのフェイバリットガイドリストをＥＥＰＲＯＭ３８に記憶させる。
【００６８】
このフェイバリットガイドリストは、例えば各曜日と時刻とをパラメータとし、使用者が各曜日において、どのような番組を見ていたのかを表すリストとなっている。図１３は、このフェイバリットガイドリストの例を表している。
【００６９】
図１３においては、縦軸が曜日軸とされ、横軸が時間軸とされている。そして、曜日軸には、上から下に順番に、日曜日（ＳＵＮ）、月曜日（ＭＯＮ）、火曜日（ＴＵＥ）、水曜日（ＷＥＤ）、木曜日（ＴＨＵ）、金曜日（ＦＲＩ）、土曜日（ＳＡＴ）が配列されている。また、時間軸は３０分毎に区切られており、各曜日の所定の３０分間に最も多く受信された放送チャンネルの番号がその頻度の順番に登録されている。例えば、日曜日の０時００分から０時３０分までの３０分間においては、第４チャンネル、第１０チャンネル、第８チャンネル、第２０チャンネルの放送チャンネルが登録されている。図中、左側に図示されている番号の方が、より大きな頻度で受信されている。
【００７０】
尚、このフェイバリットガイドリストを作成するに当たって、受信時間があまりにも短い場合、例えば数秒間しか受信していないような場合、受信履歴には登録しないようにすることができる。所定の放送チャンネルを選択するために、チャンネルを順次切り替えているとき、極めて短い時間、多くのチャンネルが受信されることになるが、このような状態は、使用者がその放送チャンネルの受信を意図している状態ではない。そこで、例えば、連続して５分間以上受信状態にある場合においてのみ、その放送チャンネルが受信されたものとして登録するようにすることが好ましい。
【００７１】
使用者がリモートコマンダ５のメニューボタンスイッチ５３を操作すると、ＣＰＵ２９は、ＭＰＥＧビデオデコーダ２５Ａを制御し、モニタ装置４に、図１４に示すようなメニューを表示させる。
【００７２】
このメニュー画面においては、番号１乃至番号９で示す９つのボタンアイコンを有する操作パレットが表示される。即ち、この実施例においては、番号１乃至番号８の各ボタンアイコンは、それぞれ、ニュースガイド（ＮＥＷＳ  ＧＵＩＤＥ）、ゼネラルガイド（ＧＥＮＥＲＡＬ  ＧＵＩＤＥ）、スポーツリスト（ＳＰＯＲＴＳ  ＬＩＳＴ）、ムービーガイド（ＭＯＶＩＥ  ＧＵＩＤＥ）、イグジット（ＥＸＩＴ）、ブラウジング（ＢＲＯＷＳＩＮＧ）、アトラクション（ＡＴＲＡＣＴＩＯＮ）、フェイバリットガイド（ＦＡＶＯＲＩＴＥ  ＧＵＩＤＥ）とされている。そして、番号９のボタンアイコンＭＯＲＥは、このメニューの第２頁を表示させるとき操作されるようになされている。
【００７３】
使用者は、このボタンアイコンの中から所定のものを選択し、所定の機能を実行させることができる。
【００７４】
次に、使用者が図１４に示すメニューをモニタ装置４に表示させた状態において、番号８で示すフェイバリットガイド（ＦＡＶＯＲＩＴＥ  ＧＵＩＤＥ）のボタンアイコンを選択した場合における処理を、図１５および図１６のフローチャートを参照して説明する。
【００７５】
この処理を開始するとき、使用者は、最初にステップＳ２１において、フェイバリットガイドのボタンアイコンをオンする。即ち、リモートコマンダ５のメニューボタンスイッチ５３を操作して、モニタ装置４に、図１４に示すようなメニューを表示させる。そして図１４において、ハイライト状態で表されるカーソルを、操作子５２を上下左右方向に操作することで、所定の位置に移動させる。図１４に示すカーソルは、操作方向に対応して所定の方向に移動する。
【００７６】
そして、番号８で表すフェイバリットガイドのボタンアイコンにカーソルを移動させた後、エンター操作をする。
【００７７】
ＣＰＵ２９は、ＩＲ受信部３９を介して、フェイバリットガイドのボタンアイコンの操作に対応する信号の入力を受けたとき、ステップＳ２２に進み、フェイバリットガイドモードを設定し、ＥＥＰＲＯＭ３８に記憶されているフェイバリットガイドリスト（図１３）を読み出し、そこに登録されている放送チャンネルを全て読み出したか否かを判定する。いまの場合、まだ全ての放送チャンネルを読み出していないので、ステップＳ２３に進み、フェイバリットガイドリストから所定の放送チャンネルを読み出す。即ち、過去４週間の間に受信したことのある放送チャンネルのうち、その日（現在）の曜日の、現在の時刻において、最も多くの頻度で受信していた１つの放送チャンネルを読み出す。
【００７８】
次にステップＳ２４に進み、チューナ２１Ｂを制御し、ステップＳ２３で読み出した放送チャンネルを受信させる。そして、そのとき、その放送チャンネルで放送されている番組の少なくとも一画面分の画像データを、ピクチャインピクチャプロセッサ４５に内蔵されるメモリに、子画面の画像として記憶させる。
【００７９】
ステップＳ２４の処理を終了したとき、ステップＳ２２に戻り、それ以降の処理を繰り返し実行する。
【００８０】
即ち、このようにして、最新の過去４週間の間に受信したことのある放送チャンネルのうち、その時刻において受信したことのある放送チャンネルが、頻度の高い順に、順次読み出され、そのとき放送されている一画面分の画像データが、子画面として取り込まれる。
【００８１】
フェイバリットガイドリストに登録されている、その曜日のその時間帯における全ての放送チャンネルの読み出しが終了したと、ステップＳ２２において判定されたとき、ステップＳ２５に進み、ＡＶシステム１中にまだチェックしていない記録媒体が存在するか否かが判定される。即ち、図１に示すように、このＡＶシステム１には、ＶＣＲ６，７、ＭＤＰ８、ＭＤ装置９が接続されている。いまの場合、このＡＶシステム１のこれらのＡＶ機器のいずれをもまだチェックしていないため、ステップＳ２６に進み、例えばＶＣＲ６の記録媒体（磁気テープ）を再生させる。
【００８２】
即ち、ＣＰＵ２９は、ＡＶ機器制御信号送受信部２Ａを制御し、コントロールライン１２を介してＶＣＲ６に再生の要求信号を出力する。この信号は、ワイヤードＳＩＲＣＳ受信部３０３、スイッチ１０２を介してマイコン９９に入力される。このときマイコン９９は、記録再生ブロック９７を制御し、装着されている磁気テープを再生させる。
【００８３】
この再生信号は、ビデオ／オーディオ信号処理回路９６、スイッチ９５、出力端子９２、ＡＶライン１１を介してＩＲＤ２のＲＦモジュレータ４１に入力される。
【００８４】
次にステップＳ２７に進み、記録媒体よりビデオデータが実際に再生されたか否かを判定する。ＶＣＲ６にそのとき装着されている磁気テープに、所定のビデオ信号が記録されている場合、その再生信号中にビデオ信号が含まれている。ＣＰＵ２９は、ＡＶライン１１を介してＲＦモジュレータ４１に入力されたこの再生信号を取り込み、ビデオ信号の有無を判定する。
【００８５】
そしてビデオ信号が存在する場合、ステップＳ２８に進み、その再生ビデオ信号に含まれる少なくとも一画面分の画像データを子画面として取り込み、ピクチャインピクチャプロセッサ４５のメモリに記憶させる。
【００８６】
ＶＣＲ６に磁気テープが装着されていなかったり、あるいは装着されていたとしても、そこにビデオ信号が記録されていない場合においては、ステップＳ２７において、再生信号中にビデオ信号が含まれていないと判定される。このとき、ステップＳ２９に進み、ＣＰＵ２９は、記録媒体のシンボル図形をＥＥＰＲＯＭ３８より読み出し、子画面として登録させる。
【００８７】
ステップＳ２８またはステップＳ２９の処理が終了したとき、ステップＳ２５に戻り、それ以降の処理を繰り返し実行する。即ち、この実施例においては、さらにＶＣＲ７に装着されている磁気テープ、ＭＤＰ８に装着されているビデオディスク、およびＭＤ装置９に装着されているミニディスク（ＭＤ）を再生し、その再生信号に含まれる少なくとも一画面分の画像データを、子画面として登録させる。ＶＣＲ７やＭＤ装置９に磁気テープやミニディスクが装着されていなかったり、装着されていたとしても、ビデオ信号が記録されていない場合、ＶＣＲ７やＭＤ装置９に対応するシンボル図形が読み出され、子画面として登録される。また、ＭＤＰ８にビデオディスクが装着されていない場合においては、ＭＤＰ８のシンボル図形が読み出され、子画面として登録される。
【００８８】
ステップＳ２５において、ＡＶシステム１に接続されている再生可能な記録媒体の全てについてチェックを行ったと判定された場合、ステップＳ３０に進み、フェイバリットガイド画面をモニタ装置４に表示する処理を実行する。即ち、ＣＰＵ２９は、ピクチャインピクチャプロセッサ４５を制御し、内蔵するメモリに記憶されている画像データから、フェイバリットガイド画面を生成させる。そして、その画面の信号をモニタ装置４に出力し、表示させる。これにより、モニタ装置４に、例えば図１７に示すようなフェイバリットガイド画面が表示される。
【００８９】
この図１７の例においては、現在の曜日の現在の時間帯において、過去４週間の間に、６個の放送局（ＴＢＳ，ＡＢＣ，ＣＮＮ，ＴＮＮ，ＮＢＣおよびＦＡＭ）が受信されているので、この６個の放送局のその時点において放送している番組の画面（静止画あるいは疑似動画）が、ボタンアイコンとして表示されている。また、ＶＨＳ方式のＶＣＲ６には磁気テープが装着され、そこにビデオ信号が記録されているため、その再生ビデオ信号から取り込まれた一画面分の画像（図中、弓矢の画像）がボタンアイコンとして表示されている。
【００９０】
これに対して、８ｍｍ方式のＶＣＲ７には、磁気テープが装着されていないか、あるいは、装着されていたとしても、ビデオ信号が記録されていない。このため、８ｍｍ方式の磁気テープのシンボル図形がボタンアイコンとして表示されている。さらに、ＭＤＰ８には、ビデオディスクが装着されていないため、ビデオディスクに対応するシンボル図形がボタンアイコンとして表示されている。
【００９１】
尚、この実施例の場合、これらのフェイバリットガイド画面は、９つの領域に区分された子画面（ボタンアイコン）により構成される。親画面としては、メニューボタンスイッチ５３を操作する直前に、親画面用のチューナ２１Ａにより受信していた画面がそのまま表示される。
【００９２】
また、このとき、ＭＰＥＧビデオデコーダ２５Ｂは、カーソルＣを発生させ、モニタ装置４に、図１７に示すように表示させる。図１７の実施例においては、カーソルＣは、フェイバリットガイド画面の左上の子画面（ボタンアイコン）の表示位置に表示されている。
【００９３】
次にステップＳ３１，Ｓ３２，Ｓ３３において、それぞれ上下左右の方向操作、エンター操作、またはエスケープ操作がなされたか否かが判定される。これらのいずれの操作もなされていない場合においては、ステップＳ３１に戻り、いずれかの操作がなされるまで同様の処理が繰り返し実行される。
【００９４】
ステップＳ３１において、方向操作がなされたと判定された場合においては、ステップＳ３４に進み、その方向に対応して、カーソルＣを移動させる処理が実行される。例えば、アップ操作がなされたとき、カーソルＣを上方向に移動させ、ダウン操作がなされたとき、下方向に移動させ、レフト操作がなされたとき、左方向に移動させ、ライト操作がなされたとき、右方向に移動させる。
【００９５】
ステップＳ３２において、エンター操作がなされたと判定された場合、ステップＳ３５に進み、そのときカーソルＣが放送チャンネルのボタンアイコン上に位置するか否かが判定される。カーソルＣが放送チャンネルのボタンアイコン上に位置すると判定された場合、ステップＳ３６に進み、カーソルＣが位置するボタンアイコン（子画面）により指定される放送チャンネルを受信する処理が実行される。
【００９６】
即ち、例えば図１７に示すように、カーソルＣがＴＢＳの放送チャンネルのボタンアイコン上に位置する状態において、エンター操作がなされたとき、ＣＰＵ２９は、ＴＢＳを受信させるように、チューナ２１Ａを制御する。そして、チューナ２１Ｂを制御し、子画面の受信を終了させる。これにより、例えば図１８に示すように、そのときＴＢＳにおいて放送されている番組がモニタ装置４に出力、表示される。
【００９７】
ステップＳ３５において、カーソルＣが放送チャンネルのボタンアイコン上に位置しないと判定された場合、カーソルＣは、記録媒体（記録媒体再生装置）のボタンアイコン上に位置していることになる。このため、この場合においては、ステップＳ３７に進み、そのボタンアイコンは、再生画像から生成したか否か（再生画像があるか否か）を判定する。
【００９８】
再生画像がある場合、ステップＳ３８に進み、カーソルＣで指定されているボタンアイコンに対応する記録媒体を再生する処理を実行する。即ち、ＣＰＵ２９は、コントロールライン１２を介して、ボタンアイコンで指定される記録媒体再生装置に制御信号を送り、その記録媒体に記録されている信号を再生させる。この再生信号は、ＡＶライン１１を介してモニタ装置４に出力され、表示される。
【００９９】
このようにして、例えば図１９に示すように、カーソルＣがＶＣＲ６に対応する子画面（ボタンアイコン）上に位置する状態において、エンター操作がなされると、ＶＣＲ６に装着されている磁気テープの再生が開始され、モニタ装置４には、図２０に示すような磁気テープより再生した画像が表示される。
【０１００】
一方、ステップＳ３７において、実質的に再生画像が存在しないと判定された場合、即ち、記録媒体が装着されていないか、装着されていたとしても、ビデオ信号が記録されていないと判定された場合、ステップＳ３９に進み、エラーメッセージが出力され、表示される。
【０１０１】
例えば図２１に示すように、カーソルＣが、ビデオディスクより再生された画像ではなく、ビデオディスクのシンボル図形により表されているボタンアイコン上に位置する状態において、即ち、ビデオディスクがＭＤＰ８に装着されていない状態において、エンター操作がなされると、モニタ装置４には、例えば図２２に示すように、「ＮＯ  ＤＩＳＣ」の文字が表示される。この文字は、ＭＰＥＧビデオデコーダ２５Ａが出力する。
【０１０２】
以上の実施例においては、図１２および図１３に示したように、フェイバリットガイドリスト中に、最新の過去４週間の間に受信した放送チャンネルを登録するようにしたが、さらに再生した記録媒体再生装置も登録するようにすることができる。図２３のフローチャートは、この場合のフェイバリットガイドリスト作成処理例を表している。
【０１０３】
ステップＳ４１乃至Ｓ４３の処理は、図１２のステップＳ１乃至Ｓ３の処理と同様の処理である。即ち、これらの処理により、最新の過去４週間の間に受信された放送チャンネルがフェイバリットガイドリスト中に登録される。
【０１０４】
これに対して、図２３の実施例においては、ステップＳ４１において、所定の放送チャンネルが受信されていないと判定された場合、ステップＳ４４に進み、所定の記録媒体が再生されているか否かが判定される。記録媒体が再生されていないと判定された場合においては、ステップＳ４１に戻り、それ以降の処理が繰り返し実行される。
【０１０５】
そしてステップＳ４４において、所定の記録媒体が再生されたと判定された場合、ステップＳ４５に進み、その記録媒体と、再生を行った時刻のデータとが取得される。そしてステップＳ４３に進み、フェイバリットガイドリスト中に、その再生を行った記録媒体が記録される。
【０１０６】
その結果、この実施例においては、図２４に示すように、フェイバリットガイドリスト中に、最新の過去４週間の間に受信した放送チャンネルに加えて、再生した記録媒体（記録媒体再生装置）とが登録される。図２４においては、３００番台の番号が記録媒体のＩＤを表している。
【０１０７】
図２５と図２６は、このように、フェイバリットガイドリスト中に、放送チャンネルだけでなく、記録媒体をも登録するようにした場合の処理例を表している。そのステップＳ６１乃至Ｓ７９に示す処理は、図１５と図１６のフローチャートのステップＳ２１乃至Ｓ３９の処理と基本的に同様の処理であるが、ステップＳ６５における処理が、ステップＳ２５における処理と異なっている。
【０１０８】
即ち、ステップＳ２５においては、ＡＶシステム１中に接続されている記録媒体再生装置において、まだチェックしていないものがあるか否かが判定されるのであるが、ステップＳ６５においては、フェイバリットガイドリスト中に登録されている記録媒体再生装置の中から、まだチェックしていない記録媒体再生装置が存在するか否かが判定される。
【０１０９】
従って、この実施例の場合、最新の過去４週間の間に再生したことのある記録媒体再生装置に装着されている記録媒体のみのボタンアイコンが生成、表示される。その結果、ＡＶシステム１から所望の装置を、効率的に選択、指定することが可能となる。
【０１１０】
図２７は、リモートコマンダ５の他の構成例を表している。この実施例においては、図４に示したリモートコマンダ５の操作子５２に代えて、方向ボタンスイッチ１６０が設けられている。この方向ボタンスイッチ１６０は、アップボタンスイッチ１６１、ダウンボタンスイッチ１６２、レフトボタンスイッチ１６３、およびライトボタンスイッチ１６４より構成され、それぞれ上下左右方向の操作を入力するとき操作される。また、エンター（ＥＮＴＥＲ）ボタンスイッチ１６５が設けられており、エンター操作を行うとき操作されるようになされている。
【０１１１】
図２８は、図２７に示すリモートコマンダ５の内部の構成例を表している。図２７の実施例においては、方向操作とエンター操作が、いずれもボタンスイッチ５０の一種の操作として行われるようになされているため、これらの操作はいずれも、ボタンスイッチマトリックス８２により検出されるようになされている。その結果、図１０における可変抵抗器６４，６５、スイッチ６６、並びにＡ／Ｄ変換器７７，７８は、省略された構成とされている。その他の構成は、図１０における場合と同様である。
【０１１２】
尚、以上の実施例においては、ＩＲＤ２を独立の構成としたが、モニタ装置４、その他のＡＶ機器に内蔵させることもできる。
【０１１３】
【発明の効果】
以上の如く、本発明のＡＶシステム制御方法およびＡＶ機器によれば、チューナが受信した１つの放送チャンネルにつき、少なくとも１枚の画面の画像データを取得するとともに、記録媒体に対応する画像データを取得してモニタに表示するようにした。またこのとき、放送チャンネルに対応する画像データには、放送チャンネルの放送局名を重畳表示させ、記録媒体に対応する画像データには、記録媒体の名称を重畳表示させ、さらに、画像データが表示された状態において、カーソルが位置する画像データを選択する操作が行われたとき、カーソルが位置する放送チャンネルを受信させるか、または、カーソルが位置する記録媒体に記録されている画像が再生させ、カーソルが位置する記録媒体に記録されている再生画像が存在しない場合、エラーメッセージが表示させるようにしたので、システム全体としての操作性をより向上させることが可能となる。
【図面の簡単な説明】
【図１】本発明のＡＶシステム制御方法を適用したＡＶシステムの構成例を示す斜視図である。
【図２】図１のＡＶシステムの電気的接続状態を示すブロック図である。
【図３】図１のＩＲＤ２の内部の構成例を示すブロック図である。
【図４】図１のリモートコマンダ５の上面の構成を示す平面図である。
【図５】図４の操作子５２の操作を検出する小型スティックコントローラの構成例を示す斜視図である。
【図６】図５の実施例の内部の構成を示す斜視図である。
【図７】図６の実施例の構成を示す正面図である。
【図８】図６の実施例の構成を示す右側面図である。
【図９】図６の実施例の構成を示す平面図である。
【図１０】図４のリモートコマンダ５の内部の構成例を示すブロック図である。
【図１１】図１のＶＣＲ６の構成例を示すブロック図である。
【図１２】フェイバリットガイドリスト作成処理を説明するフローチャートである。
【図１３】図１２の処理に基づくフェイバリットガイドリストの例を示す図である。
【図１４】メニュー画面の表示例を示す図である。
【図１５】フェイバリットガイド処理を説明するフローチャートである。
【図１６】図１５に続くフローチャートである。
【図１７】フェイバリットガイド画面の表示例を示す図である。
【図１８】図１７に示す状態においてエンター操作をした場合における表示画面を示す図である。
【図１９】フェイバリットガイド画面の他の表示例を示す図である。
【図２０】図１９に示す状態においてエンター操作をした場合における表示画面を示す図である。
【図２１】フェイバリットガイド画面のさらに他の表示例を示す図である。
【図２２】エラーメッセージの表示画面の例を示す図である。
【図２３】フェイバリットガイドリスト作成処理の他の例を示すフローチャートである。
【図２４】図２３の処理に基づくフェイバリットガイドリストの例を示す図である。
【図２５】図２４のフェイバリットガイドリストに対応するフェイバリットガイド処理を示すフローチャートである。
【図２６】図２５に続くフローチャートである。
【図２７】リモートコマンダ５の他の構成例を示す平面図である。
【図２８】図２７のリモートコマンダ５の内部の構成例を示すブロック図である。
【図２９】所定のチャンネルを選択する従来の表示例を示す図である。
【符号の説明】
１  ＡＶシステム
２  ＩＲＤ
３  パラボラアンテナ
４  モニタ装置
５  リモートコマンダ
６  ＶＣＲ（ＶＨＳ）
７  ＶＣＲ（８ｍｍ）
８  マルチディスクプレーヤ
９  ミニディスク装置
２１Ａ，２１Ｂ  チューナ
２２Ａ，２２Ｂ  ＱＰＳＫ復調回路
２３Ａ，２３Ｂ  エラー訂正回路
２４  デマルチプレクサ
２５Ａ，２５Ｂ  ＭＰＥＧビデオデコーダ
２６  ＭＰＥＧオーディオデコーダ
２７  ＮＴＳＣエンコーダ
２９  ＣＰＵ
３５  カレンダタイマ
３６  ＳＲＡＭ
３８  ＥＥＰＲＯＭ
３９  ＩＲ受信部
５２  操作子
５３  メニューボタンスイッチ
５４  エスケープボタンスイッチ
【図１】
0003672108.tif 000002
【図２】
0003672108.tif 000003
【図３】
0003672108.tif 000004
【図４】
0003672108.tif 000005
【図５】
0003672108.tif 000006
【図６】
0003672108.tif 000007
【図７】
0003672108.tif 000008
【図８】
0003672108.tif 000009
【図９】
0003672108.tif 000010
【図１０】
0003672108.tif 000011
【図１１】
0003672108.tif 000012
【図１２】
0003672108.tif 000013
【図１３】
0003672108.tif 000014
【図１４】
0003672108.tif 000015
【図１５】
0003672108.tif 000016
【図１６】
0003672108.tif 000017
【図１７】
0003672108.tif 000018
【図１８】
0003672108.tif 000019
【図１９】
0003672108.tif 000020
【図２０】
0003672108.tif 000021
【図２１】
0003672108.tif 000022
【図２２】
0003672108.tif 000023
【図２３】
0003672108.tif 000024
【図２４】
0003672108.tif 000025
【図２５】
0003672108.tif 000026
【図２６】
0003672108.tif 000027
【図２７】
0003672108.tif 000028
【図２８】
0003672108.tif 000029
【図２９】
0003672108.tif 000030